【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
ビットストリーム中で、ブロックの現在のサブブロックのための複数の変換係数の複数の有意性シンタックス要素を受信することと、
複数のコンテキストパターンからコンテキストパターンを選択することと、ここにおいて、前記選択されたコンテキストパターンは前記現在のサブブロックの２つ以上の走査タイプのためのコンテキストを識別する、
前記選択されたコンテキストパターンに基づいて、前記現在のサブブロックのための前記複数の変換係数の前記複数の有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を復号することと
を備える、方法。
【請求項２】
ビデオデータを符号化するための方法であって、
ブロックの現在のサブブロックのための複数の変換係数の複数の有意性シンタックス要素を生成することと、
複数のコンテキストパターンからコンテキストパターンを選択することと、ここにおいて、前記選択されたコンテキストパターンが前記現在のサブブロックの２つ以上の走査タイプのためのコンテキストを識別する、選択することと、
前記選択されたコンテキストパターンに基づいて、前記現在のサブブロックのための前記複数の変換係数の前記複数の有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を符号化することと、
前記符号化された複数の有意性シンタックス要素を出力することと
を備える、方法。
【請求項３】
前記コンテキストパターンを選択することが、水平走査、垂直走査、および対角走査の走査タイプのために前記コンテキストパターンを選択することを備える、請求項１に記載の方法。
【請求項４】
前記コンテキストパターンを選択することが、走査順序における第１の有意性シンタックス要素のために第１のコンテキストを定義し、前記走査順序における第２および第３の有意性シンタックス要素のために第２のコンテキストを定義し、および前記走査順序における残りの有意性シンタックス要素のために第３のコンテキストを定義する、前記コンテキストパターンを選択することを備える、請求項１または請求項２に記載の方法。
【請求項５】
前記コンテキストパターンを選択することが、走査順序における第１の有意性シンタックス要素のために第１のコンテキストを定義し、前記走査順序における残りの有意性シンタックス要素のために第２のコンテキストを定義する前記コンテキストパターンを選択することを備える、請求項１または請求項２に記載の方法。
【請求項６】
前記コンテキストパターンを選択することが、前記複数の有意性シンタックス要素のすべてのために同じコンテキストを定義する前記コンテキストパターンを選択することを備える、請求項１または請求項２に記載の方法。
【請求項７】
前記現在のサブブロックが４×４サブブロックを備え、および前記ブロックが８×８ブロックを備える、請求項１または請求項２に記載の方法。
【請求項８】
前記コンテキストパターンを選択することが、１次元コンテキストパターンとしてそれぞれ記憶された複数のコンテキストパターンから前記コンテキストパターンを選択することを備える、請求項１または請求項２に記載の方法。
【請求項９】
前記複数のコンテキストパターンのうちの１つが２次元コンテキストパターンから事前計算され、そして、ここにおいて、前記２次元コンテキストパターンが、水平方向または垂直方向に走査された場合に同じ１次元コンテキストパターンを生じるコンテキストを備える、
請求項８に記載の方法。
【請求項１０】
前記複数のコンテキストパターンのうちの１つが２次元コンテキストパターンから事前計算され、および、ここにおいて、前記２次元コンテキストパターンが、対角方向、水平方向、および垂直方向に走査された場合に同じ１次元コンテキストパターンを生じるコンテキストを備える、請求項８に記載の方法。
【請求項１１】
前記複数のコンテキストパターンのうちの１つが第１の２次元コンテキストパターンから事前計算され、および、ここにおいて、前記第１の２次元コンテキストパターンが、水平方向に走査された場合に、第２の２次元コンテキストパターンが垂直方向に走査されたときと同じ１次元コンテキストパターンを生じるコンテキストを備える、請求項８に記載の方法。
【請求項１２】
ビデオデータを復号するためのデバイスであって、
ビットストリーム中で、ブロックの現在のサブブロックのための複数の変換係数の複数の有意性シンタックス要素を受信するための手段と、
複数のコンテキストパターンからコンテキストパターンを選択するための手段と、ここにおいて、前記選択されたコンテキストパターンが前記現在のサブブロックの２つ以上の走査タイプのためのコンテキストを識別する、
前記選択されたコンテキストパターンに基づいて、前記現在のサブブロックのための前記複数の変換係数の前記複数の有意性シンタックス要素にコンテキストを割り当てるための手段と、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を復号するための手段と
を備える、デバイス。
【請求項１３】
ビデオデータを符号化するためのデバイスであって、
ブロックの現在のサブブロックのための複数の変換係数の複数の有意性シンタックス要素を生成するための手段と、
複数のコンテキストパターンからコンテキストパターンを選択するための手段と、ここにおいて、前記選択されたコンテキストパターンが前記現在のサブブロックの２つ以上の走査タイプのためのコンテキストを識別する、
前記選択されたコンテキストパターンに基づいて、前記現在のサブブロックのための前記複数の変換係数の前記複数の有意性シンタックス要素にコンテキストを割り当てるための手段と、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を符号化するための手段と、
前記符号化された複数の有意性シンタックス要素を出力するための手段と
を備える、デバイス。
【請求項１４】
請求項３〜１１のいずれか一項に記載の方法を遂行するための手段を備える、請求項１２または請求項１３に記載のデバイス。
【請求項１５】
実行されたとき、デバイスの１つまたは複数のプロセッサに、請求項１〜１１のいずれか一項に記載の方法を遂行させる命令を記憶したコンピュータ可読記憶媒体。
【手続補正２】
【補正対象書類名】明細書
【補正対象項目名】０１７４
【補正方法】変更
【補正の内容】
【０１７４】
[0189]様々な例が説明された。これらおよび他の例は以下の特許請求の範囲内に入る。
以下に、本願出願の当初の特許請求の範囲に記載された発明を付記する。
［Ｃ１］
ビデオデータを復号するための方法であって、
ビットストリーム中で、ブロックの現在のサブブロックのための複数の変換係数の有意性シンタックス要素を受信することと、
コンテキストパターンを選択することと、ここにおいて、前記コンテキストパターンは前記現在のサブブロックの２つ以上の走査タイプのためのコンテキストを識別する、
前記選択されたコンテキストパターンに基づいて、前記現在のサブブロックのための前記複数の変換係数の前記有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記有意性シンタックス要素を復号することと
を備える、方法。
［Ｃ２］
前記コンテキストパターンを選択することが、水平走査、垂直走査、および対角走査の走査タイプのために前記コンテキストパターンを選択することを備える、Ｃ１に記載の方法。
［Ｃ３］
前記コンテキストパターンを選択することが、走査順序における第１の有意性シンタックス要素のために第１のコンテキストを定義し、前記走査順序における第２および第３の有意性シンタックス要素のために第２のコンテキストを定義し、および前記走査順序における残りの有意性シンタックス要素のために第３のコンテキストを定義する、前記コンテキストパターンを選択することを備える、Ｃ１に記載の方法。
［Ｃ４］
前記コンテキストパターンを選択することが、走査順序における第１の有意性シンタックス要素のために第１のコンテキストを定義し、前記走査順序における残りの有意性シンタックス要素のために第２のコンテキストを定義する前記コンテキストパターンを選択することを備える、Ｃ１に記載の方法。
［Ｃ５］
前記コンテキストパターンを選択することが、前記有意性シンタックス要素のすべてのために同じコンテキストを定義する前記コンテキストパターンを選択することを備える、Ｃ１に記載の方法。
［Ｃ６］
前記現在のサブブロックが４×４サブブロックを備え、および前記ブロックが８×８ブロックを備える、Ｃ１に記載の方法。
［Ｃ７］
前記コンテキストパターンを選択することが、１次元コンテキストパターンとしてそれぞれ記憶された複数のコンテキストパターンから前記コンテキストパターンを選択することを備える、Ｃ１に記載の方法。
［Ｃ８］
前記複数のコンテキストパターンのうちの１つが２次元コンテキストパターンから事前計算され、そして、ここにおいて、前記２次元コンテキストパターンが、水平方向または垂直方向に走査された場合に同じ１次元コンテキストパターンを生じるコンテキストを備える、
Ｃ７に記載の方法。
［Ｃ９］
前記複数のコンテキストパターンのうちの１つが２次元コンテキストパターンから事前計算され、および、ここにおいて、前記２次元コンテキストパターンが、対角方向、水平方向、および垂直方向に走査された場合に同じ１次元コンテキストパターンを生じるコンテキストを備える、Ｃ７に記載の方法。
［Ｃ１０］
前記複数のコンテキストパターンのうちの１つが第１の２次元コンテキストパターンから事前計算され、および、ここにおいて、前記第１の２次元コンテキストパターンが、水平方向に走査された場合に、第２の２次元コンテキストパターンが垂直方向に走査されたときと同じ１次元コンテキストパターンを生じるコンテキストを備える、Ｃ７に記載の方法。
［Ｃ１１］
ビデオデータを復号するためのデバイスであって、前記デバイスが、
ビットストリーム中で、ブロックの現在のサブブロックのための複数の変換係数の複数の有意性シンタックス要素を受信することと、
コンテキストパターンを選択することと、ここにおいて、前記コンテキストパターンが前記現在のサブブロックの２つ以上の走査タイプのためのコンテキストを識別する、
前記選択されたコンテキストパターンに基づいて、前記現在のサブブロックのための前記複数の変換係数の前記有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記有意性シンタックス要素を復号することと
を行うように構成されたビデオデコーダを備える、デバイス。
［Ｃ１２］
前記コンテキストパターンを選択するために、前記ビデオデコーダが、水平走査、垂直走査、および対角走査の走査タイプのために前記コンテキストパターンを選択するように構成された、Ｃ１１に記載のデバイス。
［Ｃ１３］
前記コンテキストパターンを選択するために、前記ビデオデコーダが、走査順序における第１の有意性シンタックス要素のために第１のコンテキストを定義し、前記走査順序における第２および第３の有意性シンタックス要素のために第２のコンテキストを定義し、および、前記走査順序における残りの有意性シンタックス要素のために第３のコンテキストを定義する前記コンテキストパターンを選択するように構成された、Ｃ１１に記載のデバイス。
［Ｃ１４］
前記コンテキストパターンを選択するために、前記ビデオデコーダが、走査順序における第１の有意性シンタックス要素のために第１のコンテキストを定義し、前記走査順序における残りの有意性シンタックス要素のために第２のコンテキストを定義する前記コンテキストパターンを選択するように構成された、Ｃ１１に記載のデバイス。
［Ｃ１５］
前記コンテキストパターンを選択するために、前記ビデオデコーダが、前記有意性シンタックス要素のすべてのために同じコンテキストを定義する前記コンテキストパターンを選択するように構成された、Ｃ１１に記載のデバイス。
［Ｃ１６］
前記現在のサブブロックが４×４サブブロックを備え、前記ブロックが８×８ブロックを備える、Ｃ１１に記載のデバイス。
［Ｃ１７］
前記コンテキストパターンを選択するために、前記ビデオデコーダが、１次元コンテキストパターンとしてそれぞれ記憶された複数のコンテキストパターンから前記コンテキストパターンを選択するように構成された、Ｃ１１に記載のデバイス。
［Ｃ１８］
前記複数のコンテキストパターンのうちの１つが２次元コンテキストパターンから事前計算され、そして、前記２次元コンテキストパターンが、水平方向または垂直方向に走査された場合に同じ１次元コンテキストパターンを生じるコンテキストを備える、Ｃ１７に記載のデバイス。
［Ｃ１９］
前記複数のコンテキストパターンのうちの１つが２次元コンテキストパターンから事前計算され、そして、前記２次元コンテキストパターンが、対角方向、水平方向、および垂直方向に走査された場合に同じ１次元コンテキストパターンを生じるコンテキストを備える、Ｃ１７に記載のデバイス。
［Ｃ２０］
前記複数のコンテキストパターンのうちの１つが第１の２次元コンテキストパターンから事前計算され、そして前記第１の２次元コンテキストパターンが、水平方向に走査された場合に、第２の２次元コンテキストパターンが垂直方向に走査されたときと同じ１次元コンテキストパターンを生じるコンテキストを備える、Ｃ１７に記載のデバイス。
［Ｃ２１］
前記デバイスが、
集積回路と、
マイクロプロセッサと、
前記ビデオデコーダを含むワイヤレス通信デバイスと
のうちの１つを備える、Ｃ１１に記載のデバイス。
［Ｃ２２］
実行されたとき、ビデオデータを復号するためのデバイスの１つまたは複数のプロセッサに、
ビットストリーム中で、ブロックの現在のサブブロックのための複数の変換係数の有複数の意性シンタックス要素を受信することと、
コンテキストパターンを選択することと、ここにおいて、前記コンテキストパターンが前記現在のサブブロックの２つ以上の走査タイプのための複数のコンテキストを識別する、
前記選択されたコンテキストパターンに基づいて、前記現在のサブブロックのための前記複数の変換係数の前記複数の有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を復号することと、
を行わせる命令を記憶したコンピュータ可読記憶媒体。
［Ｃ２３］
前記１つまたは複数のプロセッサに、前記コンテキストパターンを選択させる前記命令が、前記１つまたは複数のプロセッサに、走査順序における第１の有意性シンタックス要素のために第１のコンテキストを定義し、前記走査順序における第２および第３の有意性シンタックス要素のために第２のコンテキストを定義し、そして前記走査順序における残りの有意性シンタックス要素のために第３のコンテキストを定義する前記コンテキストパターンを選択させる、命令を備えるＣ２２に記載のコンピュータ可読記憶媒体。
［Ｃ２４］
前記１つまたは複数のプロセッサに、前記コンテキストパターンを選択させる前記命令が、前記１つまたは複数のプロセッサに、走査順序における第１の有意性シンタックス要素のために第１のコンテキストを定義し、そして前記走査順序における残りの有意性シンタックス要素のために第２のコンテキストを定義する前記コンテキストパターンを選択させる命令を備える、Ｃ２２に記載のコンピュータ可読記憶媒体。
［Ｃ２５］
前記１つまたは複数のプロセッサに、前記コンテキストパターンを選択させる前記命令が、前記１つまたは複数のプロセッサに、前記複数の有意性シンタックス要素のすべてのために同じコンテキストを定義する前記コンテキストパターンを選択させる命令を備える、Ｃ２２に記載のコンピュータ可読記憶媒体。
［Ｃ２６］
ビデオデータを符号化するための方法であって、
ブロックの現在のサブブロックのための複数の変換係数の複数の有意性シンタックス要素を生成することと、
コンテキストパターンを選択することであって、ここにおいて、前記コンテキストパターンが前記現在のサブブロックの２つ以上の走査タイプのためのコンテキストを識別する、選択することと、
前記選択されたコンテキストパターンに基づいて、前記現在のサブブロックのための前記複数の変換係数の前記複数の有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記変換係数の前記有意性シンタックス要素を符号化することと、
前記符号化された複数の有意性シンタックス要素を出力することと
を備える、方法。
［Ｃ２７］
前記コンテキストパターンを選択することが、水平走査、垂直走査、および対角走査の走査タイプのために前記コンテキストパターンを選択することを備える、Ｃ２６に記載の方法。
［Ｃ２８］
前記コンテキストパターンを選択することが、走査順序における第１の有意性シンタックス要素のために第１のコンテキストを定義し、前記走査順序における第２および第３の有意性シンタックス要素のために第２のコンテキストを定義し、および前記走査順序における残りの有意性シンタックス要素のために第３のコンテキストを定義する前記コンテキストパターンを選択することを備える、Ｃ２６に記載の方法。
［Ｃ２９］
前記コンテキストパターンを選択することが、走査順序における第１の有意性シンタックス要素のために第１のコンテキストを定義し、前記走査順序における残りの有意性シンタックス要素のために第２のコンテキストを定義する前記コンテキストパターンを選択することを備える、Ｃ２６に記載の方法。
［Ｃ３０］
前記コンテキストパターンを選択することが、前記複数の有意性シンタックス要素のすべてのために同じコンテキストを定義する前記コンテキストパターンを選択することを備える、Ｃ２６に記載の方法。
［Ｃ３１］
前記現在のサブブロックが４×４サブブロックを備え、前記ブロックが８×８ブロックを備える、Ｃ２６に記載の方法。
［Ｃ３２］
前記コンテキストパターンを選択することが、１次元コンテキストパターンとしてそれぞれ記憶された複数のコンテキストパターンから前記コンテキストパターンを選択することを備える、Ｃ２６に記載の方法。
［Ｃ３３］
前記複数のコンテキストパターンのうちの１つが２次元コンテキストパターンから事前計算され、前記２次元コンテキストパターンが、水平方向または垂直方向に走査された場合に同じ１次元コンテキストパターンを生じるコンテキストを備える、Ｃ３２に記載の方法。
［Ｃ３４］
前記複数のコンテキストパターンのうちの１つが２次元コンテキストパターンから事前計算され、前記２次元コンテキストパターンが、対角方向、水平方向、および垂直方向に走査された場合に同じ１次元コンテキストパターンを生じるコンテキストを備える、Ｃ３２に記載の方法。
［Ｃ３５］
前記複数のコンテキストパターンのうちの１つが第１の２次元コンテキストパターンから事前計算され、前記第１の２次元コンテキストパターンが、水平方向に走査された場合に、第２の２次元コンテキストパターンが垂直方向に走査されたときと同じ１次元コンテキストパターンを生じるコンテキストを備える、Ｃ３２に記載の方法。
［Ｃ３６］
ビデオデータを符号化するためのデバイスであって、前記デバイスが、
ブロックの現在のサブブロックのための複数の変換係数の複数の有意性シンタックス要素を生成することと、
コンテキストパターンを選択することと、ここにおいて、前記コンテキストパターンが前記現在のサブブロックの２つ以上の走査タイプのためのコンテキストを識別する、
前記選択されたコンテキストパターンに基づいて、前記現在のサブブロックのための前記複数の変換係数の前記複数の有意性シンタックス要素にコンテキストを割り当てることと、
コンテキスト適応型バイナリ算術コーディング（ＣＡＢＡＣ）が、前記割り当てられたコンテキストに基づいて、前記現在のサブブロックの前記複数の変換係数の前記複数の有意性シンタックス要素を符号化することと、
前記符号化された複数の有意性シンタックス要素を出力することと
を行うように構成されたビデオエンコーダを備える、デバイス。
［Ｃ３７］
前記コンテキストパターンを選択するために、前記ビデオエンコーダが、水平走査、垂直走査、および対角走査の走査タイプのために前記コンテキストパターンを選択するように構成された、Ｃ３６に記載のデバイス。
［Ｃ３８］
前記コンテキストパターンを選択するために、前記ビデオエンコーダが、走査順序における第１の有意性シンタックス要素のために第１のコンテキストを定義し、前記走査順序における第２および第３の有意性シンタックス要素のために第２のコンテキストを定義し、そして前記走査順序における残りの有意性シンタックス要素のために第３のコンテキストを定義する前記コンテキストパターンを選択するように構成された、Ｃ３６に記載のデバイス。
［Ｃ３９］
前記コンテキストパターンを選択するために、前記ビデオエンコーダが、走査順序における第１の有意性シンタックス要素のために第１のコンテキストを定義し、そして前記走査順序における残りの有意性シンタックス要素のために第２のコンテキストを定義する前記コンテキストパターンを選択するように構成された、Ｃ３６に記載のデバイス。
［Ｃ４０］
前記コンテキストパターンを選択するために、前記ビデオエンコーダが、前記複数の有意性シンタックス要素のすべてのために同じコンテキストを定義する前記コンテキストパターンを選択するように構成された、Ｃ３６に記載のデバイス。
［Ｃ４１］
前記現在のサブブロックが４×４サブブロックを備え、前記ブロックが８×８ブロックを備える、Ｃ３６に記載のデバイス。
［Ｃ４２］
前記コンテキストパターンを選択するために、前記ビデオエンコーダが、１次元コンテキストパターンとしてそれぞれ記憶された複数のコンテキストパターンから前記コンテキストパターンを選択するように構成された、Ｃ３６に記載のデバイス。
［Ｃ４３］
前記複数のコンテキストパターンのうちの１つが２次元コンテキストパターンから事前計算され、前記２次元コンテキストパターンが、水平方向または垂直方向に走査された場合に同じ１次元コンテキストパターンを生じるコンテキストを備える、Ｃ４２に記載のデバイス。
［Ｃ４４］
前記複数のコンテキストパターンのうちの１つが２次元コンテキストパターンから事前計算され、前記２次元コンテキストパターンが、対角方向、水平方向、および垂直方向に走査された場合に同じ１次元コンテキストパターンを生じるコンテキストを備える、Ｃ４２に記載のデバイス。
［Ｃ４５］
前記複数のコンテキストパターンのうちの１つが第１の２次元コンテキストパターンから事前計算され、前記第１の２次元コンテキストパターンが、水平方向に走査された場合に、第２の２次元コンテキストパターンが垂直方向に走査されたときと同じ１次元コンテキストパターンを生じるコンテキストを備える、Ｃ４２に記載のデバイス。
［Ｃ４６］
ビデオデータを符号化するためのデバイスであって、
ブロックの現在のサブブロックのための複数の変換係数の複数の有意性シンタックス要素を生成するための手段と、
コンテキストパターンを選択するための手段と、ここにおいて、前記コンテキストパターンが前記現在のサブブロックの２つ以上の走査タイプのためのコンテキストを識別する、
前記選択されたコンテキストパターンに基づいて、前記現在のサブブロックのための前記複数の変換係数の前記複数の有意性シンタックス要素にコンテキストを割り当てるための手段と、
コンテキスト適応型バイナリ算術コーディング（ＣＡＢＡＣ）が、前記割り当てられたコンテキストに基づいて、前記現在のサブブロックの前記変換係数の前記有意性シンタックス要素を符号化するための手段と、
前記符号化された有意性シンタックス要素を出力するための手段と
を備える、デバイス。
［Ｃ４７］
前記コンテキストパターンを選択するための前記手段が、走査順序における第１の有意性シンタックス要素のために第１のコンテキストを定義し、前記走査順序における第２および第３の有意性シンタックス要素のために第２のコンテキストを定義し、そして前記走査順序における残りの有意性シンタックス要素のために第３のコンテキストを定義する前記コンテキストパターンを選択するための手段を備える、Ｃ４６に記載のデバイス。
［Ｃ４８］
前記コンテキストパターンを選択するための前記手段が、走査順序における第１の有意性シンタックス要素のために第１のコンテキストを定義し、そして前記走査順序における残りの有意性シンタックス要素のために第２のコンテキストを定義する前記コンテキストパターンを選択するための手段を備える、Ｃ４６に記載のデバイス。
［Ｃ４９］
前記コンテキストパターンを選択するための前記手段が、前記有意性シンタックス要素のすべてのために同じコンテキストを定義する前記コンテキストパターンを選択するための手段を備える、Ｃ４６に記載のデバイス。